(57)【要約】【課題】アルペジオ的な効果を得ることが可能なピッチシフトを行うピッチシフタ装置を提供する。【解決手段】制御部５０は、踏み込み量検出部４０が検出した踏み込み量が５段階の内のいずれの段階に属するかを判定し、この判定結果およびテーブル２００の記憶内容を参照して、当該踏み込み量が属する段階に対応するピッチシフト量を把握し、この把握したピッチシフト量をピッチシフト部２０でのピッチシフト量として指定するので、従来装置では困難であった、若干時間をずらしながら操作量を変更する、いわゆるアルペジオ（分散和音）的なピッチシフトを行うことが可能となる。【選択図】  図１  
2005121852.tif 000002
【特許請求の範囲】
【請求項１】
入力される音楽信号に対して、音程の変換を行うピッチシフト装置であって、
操作量を変更操作するための操作手段と、この操作手段によって変更操作された操作量を検出する検出手段と、指定されたピッチシフト量だけ前記音楽信号のピッチシフトを行うピッチシフト手段と、操作量の最小値から最大値までを複数段階に分割した夫々の段階に対するピッチシフト量を記憶する記憶手段と、装置動作を制御する制御手段と、を備え、
前記制御手段は、
前記検出手段が検出した操作量が前記複数段階の内のいずれの段階に属するかを判定し、この判定結果および前記記憶手段の記憶内容を参照して、当該操作量が属する段階に対応するピッチシフト量を把握し、この把握したピッチシフト量を前記ピッチシフト手段でのピッチシフト量として指定することを特徴とするピッチシフタ装置。
【請求項２】
入力される音楽信号に対して、音程の変換を行うピッチシフト装置であって、
操作量を変更操作するための操作手段と、この操作手段によって変更操作された操作量を検出する検出手段と、前記音楽信号の入力音程を検出するピッチ検出手段と、指定されたピッチシフト量だけ前記音楽信号のピッチシフトを行うピッチシフト手段と、操作量の最小値から最大値までを複数段階に分割した夫々の段階に対するピッチシフト量を記憶するテーブルを複数種類備えるテーブル群と、装置動作を制御する制御手段と、を備え、
前記制御手段は、
前記ピッチ検出手段が検出した入力音程に基づき、前記テーブル群の内から採用する１つのテーブルを決定し、
前記検出手段が検出した操作量が前記複数段階の内のいずれの段階に属するかを判定し、この判定結果および前記採用決定したテーブルの記憶内容を参照して、当該操作量が属する段階に対応するピッチシフト量を把握し、この把握したピッチシフト量を前記ピッチシフト手段でのピッチシフト量として指定する手段であり、更に、
前記テーブル群の記憶内容は、特定スケールの音列の内のいずれの音程が前記ピッチ検出手段で検出される入力音程となって前記ピッチシフト手段でピッチシフトが行われても、当該特定スケールから外れる音が発生するスケールアウトが生じないように設定されていることを特徴とするピッチシフタ装置。
【請求項３】
請求項１および２の内のいずれか一項に記載のピッチシフタ装置において、
前記操作手段は、フットペダルの踏み込む操作で操作量を変更操作可能に構成され、更に、前記検出手段は、前記フットペダルの踏み込み量を操作量として検出するように構成されたことを特徴とするピッチシフタ装置。
【発明の詳細な説明】
【技術分野】
【０００１】
本発明は、入力される音声信号や楽音信号等の音楽信号に対して、音程の変換を行うピッチシフト装置に関する。
【背景技術】
【０００２】
例えば、従来のピッチシフタ装置としては、操作部の操作に応じて連続的に操作量が変化し、この連続的に変化する操作量に応じて、入力される音楽信号に対するピッチシフトを行うようにしたものが提案されていた（例えば、特許文献１参照）。より具体的には、第１のペダル操作子及び第２のペダル操作子が何れも操作されていない状態では、通常の音程の音が発せられるが、この状態で第１のペダル操作子が踏み込まれると、その踏み込み量に応じてピッチを上げ、一方、第２のペダル操作子が踏み込まれると、その踏み込み量に応じてピッチを下げ、ピッチシフトを行うことをペダル操作によって実現するものであった。
【０００３】
【特許文献１】特開平１０−１２４０５５号公報（第４−１３頁、第１７図）
【発明の開示】
【発明が解決しようとする課題】
【０００４】
しかしながら、従来のピッチシフタ装置にあっては、ペダルの踏み込み量に比例してピッチの変更を行うように、即ち、ピッチの変更をペダルの踏み込み操作量に応じて連続的に行うように構成されていた。このため、ピッチシフトを連続的に行える利点はあるものの、ユーザにとってより面白味のあるピッチシフトを行う装置の開発が望まれていた。また、従来の装置にあっては、若干時間をずらしながら操作量を変更する、いわゆるアルペジオ（分散和音）的なピッチシフトを行うことが困難であった。
【０００５】
本発明は、かかる従来の課題を解決するためになされたもので、アルペジオ的な効果を得ることが可能なピッチシフトを行うピッチシフタ装置を提供することを目的とする。
【課題を解決するための手段】
【０００６】
上記目的を達成するために、本発明は、入力される音楽信号に対して、音程の変換を行うピッチシフト装置であって、
操作量を変更操作するための操作手段と、この操作手段によって変更操作された操作量を検出する検出手段と、指定されたピッチシフト量だけ前記音楽信号のピッチシフトを行うピッチシフト手段と、操作量の最小値から最大値までを複数段階に分割した夫々の段階に対するピッチシフト量を記憶する記憶手段と、装置動作を制御する制御手段と、を備え、
前記制御手段は、
前記検出手段が検出した操作量が前記複数段階の内のいずれの段階に属するかを判定し、この判定結果および前記記憶手段の記憶内容を参照して、当該操作量が属する段階に対応するピッチシフト量を把握し、この把握したピッチシフト量を前記ピッチシフト手段でのピッチシフト量として指定することを特徴とするようにした。
【０００７】
この発明によれば、制御手段は、検出手段が検出した操作量が複数段階の内のいずれの段階に属するかを判定し、この判定結果および、操作量の最小値から最大値までを複数段階に分割した夫々の段階に対するピッチシフト量を記憶する記憶手段の記憶内容を参照して、当該操作量が属する段階に対応するピッチシフト量を把握し、この把握したピッチシフト量をピッチシフト手段でのピッチシフト量として指定する。この結果、略同時ではあるが若干時間をずらしながら操作量を変更する、いわゆるアルペジオ（分散和音）的なピッチシフトを容易に行うことが可能となり、また、面白味のあるピッチシフト動作を実現することも可能になる。
【０００８】
また、本発明の他の態様によれば、入力される音楽信号に対して、音程の変換を行うピッチシフト装置であって、
操作量を変更操作するための操作手段と、この操作手段によって変更操作された操作量を検出する検出手段と、前記音楽信号の入力音程を検出するピッチ検出手段と、指定されたピッチシフト量だけ前記音楽信号のピッチシフトを行うピッチシフト手段と、操作量の最小値から最大値までを複数段階に分割した夫々の段階に対するピッチシフト量を記憶するテーブルを複数種類備えるテーブル群と、装置動作を制御する制御手段と、を備え、
前記制御手段は、
前記ピッチ検出手段が検出した入力音程に基づき、前記テーブル群の内から採用する１つのテーブルを決定し、
前記検出手段が検出した操作量が前記複数段階の内のいずれの段階に属するかを判定し、この判定結果および前記採用決定したテーブルの記憶内容を参照して、当該操作量が属する段階に対応するピッチシフト量を把握し、この把握したピッチシフト量を前記ピッチシフト手段でのピッチシフト量として指定する手段であり、更に、
前記テーブル群の記憶内容は、特定スケールの音列の内のいずれの音程が前記ピッチ検出手段で検出される入力音程となって前記ピッチシフト手段でピッチシフトが行われても、当該特定スケールから外れる音が発生するスケールアウトが生じないように設定されていることを特徴とするピッチシフタ装置が提供される。
【０００９】
この発明においては、制御手段は、ピッチ検出手段が検出した入力音程に基づき、テーブル群の内から採用する１つのテーブルを決定し、検出手段が検出した操作量が複数段階の内のいずれの段階に属するかを判定し、この判定結果および前記採用決定したテーブルの記憶内容を参照して、当該操作量が属する段階に対応するピッチシフト量を把握し、この把握したピッチシフト量を前記ピッチシフト手段でのピッチシフト量として指定する。しかも、テーブル群の記憶内容は、特定スケールの音列の内のいずれの音程が前記ピッチ検出手段で検出される入力音程となって前記ピッチシフト手段でピッチシフトが行われても、当該特定スケールから外れる音が発生するスケールアウトが生じないように設定されている。したがって、特定スケールの音程からスケールアウトしないようにしながら、操作量に応じて階段状のピッチシフトを行ってアルペジオ的なピッチシフトを行うことが可能になる。
【００１０】
そして、上記各装置において、前記操作手段をフットペダルの踏み込む操作で操作量を変更操作可能に構成し、更に、前記検出手段を前記フットペダルの踏み込み量を操作量として検出するように構成すれば操作性に富み好ましい。
【発明の効果】
【００１１】
本発明によれば、アルペジオ的な効果を得ることが可能なピッチシフトを行うピッチシフタ装置を提供することが可能になるという効果が得られる。
【発明を実施するための最良の形態】
【００１２】
以下、本発明を実施するための最良の形態を図面を参照しつつ説明する。図１は本発明の実施形態のピッチシフタ装置１の構成例を示す構成図である。なお、以下においてピッチとは音程のことであり、ピッチシフトとは音程のシフトを行って音程の変換を行うことを意味する。
【００１３】
（構成）
このピッチシフタ装置１は、入力される楽音信号（音声信号等の他の音楽信号でも良い）をアナログ・デジタル変換するＡ／Ｄ変換部１０と、指定されたピッチシフト量で楽音信号をピッチシフトするピッチシフタ部２０と、ピッチシフトされた楽音信号をデジタル・アナログ変換して出力するＤ／Ａ変換部１５とを備えており、ピッチシフタ部２０はＤＳＰ１１０で構成されている。
【００１４】
また、図示するように、ＣＰＵ１００は、フットペダル等で構成される操作手段としての操作ペダル３０の踏み込み量を検出する踏み込み量検出部４０や、装置の全体動作を制御する制御部５０等を構成しており、制御部５０はメモリ６０の内容を参照したりメモリ６０に対して所要の情報を格納したりするように構成されている。さらに、制御部５０にはパラメータ入力部７０が接続されており、このパラメータ入力部７０を操作することによって、後に説明する段階や各段階でのシフト量等を入力可能に構成されている。なお、この例では５段階の各段階に対してピッチシフト量を設定した場合を想定して説明するが、段階数は「５」に限られず複数段階であれば何段階であっても良く、本例で説明するのは一例に過ぎない。
【００１５】
図２は制御部５０の動作の一部の説明図である。操作ペダル３０の踏み込み量（操作量）は最小「０」から最大「ｅ」までとなるように設定されている。踏み込み量検出部４０が検出した踏み込み量が「０（最小値）を超えて「ａ」以下」の場合には、制御部５０は段階「１」であると判定する。同様に、踏み込み量検出部４０が検出した踏み込み量が「「ａ」を超えて「ｂ」以下」の場合には、制御部５０は段階「２」であると判定し、また、踏み込み量検出部４０が検出した踏み込み量が「「ｂ」を超えて「ｃ」以下」の場合には、制御部５０は段階「３」であると判定し、さらに、踏み込み量検出部４０が検出した踏み込み量が「「ｃ」を超えて「ｄ」以下」の場合には、制御部５０は段階「４」であると判定する。
【００１６】
そして、踏み込み量検出部４０が検出した踏み込み量が「「ｄ」を超えて「ｅ（最大）」以下」の場合には、制御部５０は段階「５」であると判定する。かくして、操作ペダル３０の踏み込み量に比例させずに、踏み込み量に対して階段状に段階を設定している。
【００１７】
図３はメモリ６０に格納されたテーブル２００の説明図である。テーブル２００は、段階とその段階に対するピッチシフト量とを対応付けて記憶している。この例では、段階「１」のピッチシフト量（Ｓ１）は「１度」、段階「２」のピッチシフト量（Ｓ２）は「長３度」、段階「３」のピッチシフト量（Ｓ３）は「５度」、段階「４」のピッチシフト量（Ｓ４）は「長７度」、段階「５」のピッチシフト量（Ｓ５）は「８度」である。かくして、操作ペダル３０の踏み込み量に比例させずに、踏み込み量に対して階段状に段階を設定し、しかも、その段階毎に異なるピッチシフト量を設定しているので、従来のようにペダル操作量に比例してピッチシフトを行う構成としておらず、若干時間をずらしながら操作量を変更する、いわゆるアルペジオ（分散和音）的なピッチシフトを行うことが可能となる。
【００１８】
（動作）
操作ペダル３０を踏み込み操作すると、踏み込み量検出部４０が操作ペダル３０の踏み込み量を検出し、制御部５０がこれを把握する。制御部５０は、踏み込み量がいずれの段階に属するかを把握し、テーブル２００の記憶内容を参照して、把握した段階に対するピッチシフト量を求め、これをピッチシフト量としてピッチシフタ部２０に対して指定する。したがって、この例にあっては、踏み込み量検出部４０が検出した踏み込み量が「０（最小値）を超えて「ａ」以下」の場合には、制御部５０によって段階「１」と判定され楽音信号が「１度」つまり入力をピッチシフトせずにそのまま出力する。
【００１９】
同様に、踏み込み量検出部４０が検出した踏み込み量が「「ａ」を超えて「ｂ」以下」の場合には、楽音信号が「長３度上」にピッチシフトされ、また、踏み込み量検出部４０が検出した踏み込み量が「「ｂ」を超えて「ｃ」以下」の場合には、楽音信号が「５度上」にピッチシフトされ、さらに、踏み込み量検出部４０が検出した踏み込み量が「「ｃ」を超えて「ｄ」以下」の場合には、楽音信号が「長７度上」にピッチシフトされ、そして、踏み込み量検出部４０が検出した踏み込み量が「「ｄ」を超えて「ｅ（最大）」以下」の場合には、楽音信号が「８度上」にピッチシフトされる。
【００２０】
このように、制御部５０は、踏み込み量検出部４０が検出した踏み込み量（操作量）が５段階の内のいずれの段階に属するかを判定し、この判定結果およびテーブル２００の記憶内容を参照して、当該踏み込み量が属する段階に対応するピッチシフト量を把握し、この把握したピッチシフト量をピッチシフト部２０でのピッチシフト量として指定するので、従来の装置では困難であった、若干時間をずらしながら操作量を変更する、いわゆるアルペジオ（分散和音）的なピッチシフトを行うことが可能となる。
【００２１】
（他の構成例）
図４は他の構成例であるピッチシフタ装置２の構成図である。図１と同構成の構成要素には同一の符号を付してその詳細な説明は省略する。図４のピッチシフタ装置２には、入力される楽音信号の入力音程を検出するピッチ検出部８０が新たに設けられており、制御部５０は、ピッチ検出部８０が検出した入力音程を把握可能に構成されている。
【００２２】
さらに、メモリ６０内には４つのテーブル３００、テーブル３０１、テーブル３０２、テーブル３０３からなるテーブル群が格納されており、制御部５０は各テーブルへの書き込みや読み出しが可能に構成されている。本構成例においても段階数を「５」として説明するが段階数は適宜変更設定可能であることは言うまでもない。図５（ａ）、図５（ｂ）、図５（ｃ）、図５（ｄ）、図５（ｅ）は夫々、テーブル３００、テーブル３０１、テーブル３０２、テーブル３０３の説明図であり、各テーブルともに段階とその段階に対するピッチシフト量とが対応付けて記憶されているが、記憶内容は夫々のテーブルで異なっている。
【００２３】
さて、ピッチシフタ装置２の動作説明を行う前に、図６（ａ）、図６（ｂ）等を参照して音名、音程等について説明する。図６（ａ）に示すように７個の白鍵には順に「Ｃ、Ｄ、Ｅ、Ｆ、Ｇ、Ａ、Ｂ、Ｃ」なる音名が設定されており、５個の黒鍵は夫々その左側の音名に半音上げることを意味する「♯」が付された音名となっている。また、図６（ｂ）に示すように、基準音を左端の「Ｃ」とすると、基準音から半音上の関係にある音程を「短２度上」の音程、基準音から２半音上の関係にある音程を「長２度上」の音程、基準音から３半音上の関係にある音程を「短３度上」の音程、基準音から４半音上の関係にある音程を「長３度上」の音程、基準音から５半音上の関係にある音程を「４度上」の音程、基準音から６半音上の関係にある音程を「減５度上」の音程、基準音から７半音上の関係にある音程を「５度上」の音程、基準音から８半音上の関係にある音程を「短６度上」の音程、基準音から９半音上の関係にある音程を「長６度上」の音程、基準音から１０半音上の関係にある音程を「短７度上」の音程、基準音から１１半音上の関係にある音程を「長７度上」の音程と称される。
【００２４】
さて、次に、音階（スケール）について説明する。１オクターブの範囲内の音程から５〜７個程の音程を適宜選択して、音程の低い順番から並べたもの（音列）を音階（スケール）といい、最も多く使用されている音階に長音階（メジャースケール：いわゆるドレミファソラシ）と短音階（マイナースケール）がある。これらのうち長音階は１番低い音を基準とした場合、「１度、長２度、長３度、４度、５度、長６度、長７度…（１）」の音程差をもつ音列で構成されている。例として、基準音（一番低い音）を「Ｃ」とすれば、「Ｃ、Ｄ、Ｅ、Ｆ、Ｇ、Ａ、Ｂ、Ｃ’…（２）（「’」は１オクターブ上の意味である）」となり、これは「Ｃメジャースケール」である。また、基準音をＤとすれば、「Ｄ、Ｅ、Ｆ♯、Ｇ、Ａ、Ｂ、Ｃ♯、Ｄ’…（３）」となり、これは「Ｄメジャースケール」である。
【００２５】
また、短音階（マイナースケール）は、「１度、長２度、短３度、４度、５度、短６度、短７度…（４）」で構成されており、例として、基準音をＣとすれば、「Ｃ、Ｄ、Ｅ♭、Ｆ、Ｇ、Ａ♭、Ｂ♭、Ｃ’…（５）」となり、これはＣマイナースケールである。他にも無数に近い様々な音階が存在し、多くの音楽は、この音階という概念に基づいて作編曲されており、これにより旋律もしくは和声的な秩序、調和を得ることができる。また、上記（２）のＣメジャースケールの音列において「Ｃ♯、Ｄ♯、Ｆ♯等」はその音列には存在しないスケールから外れた音となっているが、このように特定スケールから外れた音を「スケールアウトした音」と称する。
【００２６】
そして、本構成例においては、入力音程に応じて採用するテーブルを決定して、特定のスケールに対してスケールアウトしないようにしてピッチシフトを行う点に特徴がある。ピッチシフタ装置１においては、いかなる入力音程に対しても、階段状のピッチ変化はテーブル２００に従った一定のものとなる。例えば、テーブル２００の内容が「１度（＝シフト無し）、長３度上、５度上、長７度上、１オクターブ上…（６）」の５段階であるとき、入力音程が「Ｃ」の場合、出力音程は「Ｃ、Ｅ、Ｇ、Ｂ、Ｃ’」となり、また、入力音程が「Ｄ」の場合、「Ｄ、Ｆ♯、Ａ、Ｃ♯、Ｄ’」となる。ここで、仮にＣメジャースケール（（２）参照）を用いた楽曲を演奏しているとすると、入力音程が「Ｃ」の場合はスケール範囲内の音程でピッチシフトすることになるが、入力音程が「Ｄ」の場合は、「Ｆ♯、Ｃ♯」等のＣメジャースケールからスケールアウトする音程が発生することになり、楽曲にＣメジャースケールの秩序を保ちたい場合に弊害が出てくる。
【００２７】
そこで、ピッチシフタ装置２では、入力音程が「Ｄ」の場合、（６）のテーブル内容をモディファイして、「１度上、短３度上、５度上、短７度上、１オクターブ上（７）」とすると、出力音程は、「Ｄ、Ｆ、Ａ、Ｃ、Ｄ」となり、これはＣメジャースケールの範囲内にあることになる。つまり（６）のテーブル内容でスケールアウトが起こる入力音程に対し、テーブル内容の一部を変えたものを用意し、それを適用すればスケールアウトが発生しないことになる。
【００２８】
同様の考え方で「Ｃ、Ｄ、Ｅ、Ｆ、Ｇ、Ａ、Ｂ」の音程に関して、それぞれＣメジャースケールからスケールアウトしないテーブルを作ると以下の様になり、これは、図５に示すテーブル３００〜テーブル３０３の内容となる。つまり、「テーブル１：１度（＝シフト無し）、長３度上、５度上、長７度上、１オクターブ上」、「テーブル２：１度（＝シフト無し）、短３度上、５度上、短７度上、１オクターブ上」、「テーブル３：１度（＝シフト無し）、長３度上、５度上、短７度上、１オクターブ上」、「テーブル４：１度（＝シフト無し）、短３度上、減５度上、長７度上、１オクターブ上」である。
【００２９】
ここで、上記４つのテーブルを入力音程に対して下記の様に対応させる。つまり、入力音程がＣの時：テーブル１採用「ピッチシフト結果、ＣＥＧＢＣ’」、入力音程がＤのとき：テーブル２採用「ピッチシフト結果、ＤＦＡＣＤ’」、入力音程がＥのとき：テーブル２採用「ピッチシフト結果、ＥＧＢＤＥ’」、入力音程がＦのとき：テーブル１採用「ピッチシフト結果、ＦＡＣＥＦ’」、入力音程がＧのとき：テーブル３採用「ピッチシフト結果、ＧＢＤＦＧ’」、入力音程がＡのとき：テーブル２採用「ピッチシフト結果、ＡＣＥＧＡ’」、入力音程がＢのとき：テーブル４採用「ピッチシフト結果、ＢＤＦＡＢ’」（「’」は、１オクターブ上を意味する）となり、入力音程に応じて適切なテーブルを採用することによりスケールアウトしないピッチシフトが可能となる。
【００３０】
つまり、ピッチシフタ装置２において、制御部５０は、ピッチ検出部８０が検出した入力音程が「Ｃ、Ｆ」の場合はテーブル３００を採用し、また、ピッチ検出部８０が検出した入力音程が「Ｄ、Ｅ、Ａ」の場合はテーブル３０１を採用し、さらに、ピッチ検出部８０が検出した入力音程が「Ｇ」の場合はテーブル３０２を採用し、そして、ピッチ検出部８０が検出した入力音程が「Ｂ」の場合はテーブル３０３を採用する。そして、採用するテーブルを決定した後は、ペダル操作量から判定される段階と採用したテーブルの記憶内容とを参照して、ピッチシフタ装置１と同様な動作を行えば、特定スケール（この場合にはＣメジャースケール）の音列以外の音程を使用しない、即ち、特定スケールの音程からスケールアウトしないようにしてピッチシフトを行うことが可能になる。
【００３１】
このように、制御部５０は、ピッチ検出部８０が検出した入力音程に基づき、テーブル群の内から採用する１つのテーブルを決定し、踏み込み量検出部４０が検出した踏み込み量が複数段階の内のいずれの段階に属するかを判定し、この判定結果および前記採用決定したテーブルの記憶内容を参照して、当該踏み込み量が属する段階に対応するピッチシフト量を把握し、この把握したピッチシフト量をピッチシフト部２０でのピッチシフト量として指定する動作を行う。そして、更に、本構成にあっては、テーブル群（３００、３０１、３０２、３０３）の記憶内容は、特定スケール（この場合、Ｃメジャースケール）の音列の内のいずれの音程が前記ピッチ検出手段で検出される入力音程となって前記ピッチシフト手段でピッチシフトが行われても、当該特定スケール（この場合、Ｃメジャースケール）から外れる音が発生するスケールアウトが生じない（即ち、ピッチシフトが行われた結果、当該特定スケールを構成する音列以外の音程が生じない）ように設定されているので、特定スケール（この場合、Ｃメジャースケール）の音程からスケールアウトしないようにしながら、アルペジオ（分散和音）的なピッチシフトを行うことが可能になる。
【００３２】
なお、上述した説明では、あくまでも一例としてＣメジャースケールからのスケールアウトを発生させないようにしたものであり、他の特定スケールからのスケールアウト（そのスケールの音列以外の音を使用することになること）の発生を阻止することも可能である。また、パラメータ入力部７０から基準音、スケール等を制御部５０に与えて、制御部５０が与えられたスケールからのスケールアウトが発生しないようにテーブル群の内容を自動設定させるようにしても良い。また、図１や図４に示すようなピッチシフタ装置１、２を単体で使用することも可能であるし、また、シンセサイザ等の楽器にこのような装置を搭載することも可能である。さらに、上述してきた構成例においては、操作性の良さからフットペダルで構成された操作ペダル３０を操作手段として採用しているが、つまみや感圧パッド等の他の操作手段を採用しても良い。
【産業上の利用可能性】
【００３３】
以上説明してきたように、本発明は、音楽信号に対して、音程の変換を行うピッチシフト装置を提供することができる。
【図面の簡単な説明】
【００３４】
【図１】ピッチシフタ装置１の構成図である。
【図２】制御部５０の動作の説明図である。
【図３】テーブル２００の説明図である。
【図４】ピッチシフタ装置２の構成図である。
【図５】テーブル３００、３０１、３０２、３０３の説明図である。
【図６】音名、音程関係の説明図である。
【符号の説明】
【００３５】
１  ピッチシフタ装置
２  ピッチシフタ装置
１０  Ａ／Ｄ変換部
１５  Ｄ／Ａ変換部
２０  ピッチシフタ部
３０  操作ペダル
４０  踏み込み量検出部
５０  制御部
６０  メモリ
７０  パラメータ入力部
７１  パラメータ入力部
８０  ピッチ検出部
１００  ＣＰＵ
１１０  ＤＳＰ
２００  テーブル
３００  テーブル
３０１  テーブル
３０２  テーブル
３０３  テーブル
【図１】
2005121852.tif 000003
【図２】
2005121852.tif 000004
【図３】
2005121852.tif 000005
【図４】
2005121852.tif 000006
【図５】
2005121852.tif 000007
【図６】
2005121852.tif 000008